(57)【要約】  各基地局（MeNB及びHeNB）間での干渉を最小限に抑え、ネットワーク全体のスループットを改善することができる基地局装置。信号の送信を行う送信サブフレーム及び信号の送信を停止する無送信サブフレームの組み合わせで表されるサブフレームのABS（Almost Blank Subframe）パターンであって、異なる複数のABSパターンのいずれかを用いて信号の送信を行う基地局を複数有する通信システムにおいて、決定部（１０４）は、HeNB（１００）と、HeNB（１００）以外の他の基地局との間の干渉の有無に基づいて、複数のABSパターンの中から、HeNB（１００）が使用するABSパターンを決定し、送信部（１０５）は、決定されたABSパターンに従って、HeNB（１００）に接続している端末に対して信号を送信する。
2012108155.tif 000002
【特許請求の範囲】
【請求項１】
信号の送信を行う送信サブフレーム及び信号の送信を停止する無送信サブフレームの組み合わせで表されるサブフレームの構成パターンであって、異なる複数の前記構成パターンのいずれかを用いて信号の送信を行う基地局装置を複数有する通信システムにおいて、
自装置と、自装置以外の他の基地局装置との間の干渉の有無に基づいて、前記複数の構成パターンの中から、自装置が使用する構成パターンを決定する決定手段と、
決定された前記構成パターンに従って、自装置に接続している端末装置に対して信号を送信する送信手段と、
を具備する基地局装置。
【請求項２】
自装置の周辺に位置する前記他の基地局装置を探索するとともに、探索された前記他の基地局装置が使用する構成パターンを取得する手段であって、探索された前記他の基地局装置は自装置との間で干渉が生じる装置として特定される、探索手段、を更に具備し、
前記決定手段は、前記複数の構成パターンの中から、前記他の基地局装置が使用する構成パターンと異なる構成パターンを、自装置が使用する構成パターンとして決定する、
請求項１記載の基地局装置。
【請求項３】
前記探索手段は、自装置の電源投入をトリガとして、前記他の基地局装置が使用する構成パターンを取得する、
請求項２記載の基地局装置。
【請求項４】
前記決定手段は、複数の前記他の基地局装置によって前記複数の構成パターンのすべてが使用されている場合、前記複数の他の基地局装置のうち、自装置に対する干渉量が最も小さい基地局装置が使用している構成パターンを、自装置が使用する構成パターンとして決定する、
請求項２記載の基地局装置。
【請求項５】
前記決定手段は、前記通信システム内に位置する複数の基地局装置のうち、前記探索手段で探索された前記他の基地局装置以外の基地局装置が使用する構成パターンと同一の構成パターンを、自装置が使用する構成パターンとして決定する、
請求項２記載の基地局装置。
【請求項６】
前記決定手段は、前記複数の構成パターンのうち、自装置以外の前記他の基地局装置からの干渉量が予め設定された許容値未満となる構成パターンを、自装置が使用する構成パターンとして決定する、
請求項１記載の基地局装置。
【請求項７】
前記送信手段は、更に、決定された前記構成パターンを、複数の基地局装置が使用する構成パターンの設定を管理する管理装置に報告する、
請求項１記載の基地局装置。
【請求項８】
信号の送信を行う送信サブフレーム及び信号の送信を停止する無送信サブフレームの組み合わせで表されるサブフレームの構成パターンであって、異なる複数の前記構成パターンのいずれかを用いて信号の送信を行う基地局装置を複数有する通信システムにおいて、
特定の基地局装置と、前記特定の基地局装置以外の他の基地局装置との間の干渉の有無に基づいて、前記複数の構成パターンの中から、前記特定の基地局装置が使用する構成パターンを決定し、
決定された前記構成パターンに従って、前記特定の基地局装置に接続している端末装置に対して信号を送信する、
送信方法。
【発明の詳細な説明】
【技術分野】
【０００１】
本発明は、基地局装置及び送信方法に関する。
【背景技術】
【０００２】
近年、携帯電話の不感地帯の補完、又は、セルの平均スループット及びセルエッジスループットの向上を目的として、従来のセルよりも通信エリアが小さいセルを形成するための小型基地局装置の開発が行われている。小型基地局装置としては、例えば、Pico eNB及びHome eNBと呼ばれるものがある（以下の説明では、便宜上、これらをHeNBと総称する）。HeNBは、各家庭内又はオフィス内のような限定された狭いエリアのみをカバーする目的で敷設される。よって、従来の通信エリアが大きいセルを形成するための大型基地局装置（マクロ基地局（Macro eNB）。以下、MeNBと称する。）と比較して、HeNBでは、セルが小さいため、トラフィック集中による混雑が生じにくく、高いスループットが期待できる。【０００３】
しかし、HeNB（特に家庭内に設置されたHeNB）はエンドユーザが設置場所を任意の場所に変更でき、通信事業者がHeNBの運用状況を管理することが難しい。また、HeNBは、MeNB（マクロ基地局）と同じ周波数帯域が利用されているため、HeNBとMeNBとの間で干渉が生じ得ることが問題となる。【０００４】
図１は、HeNBとMeNBとの間で生じる干渉について説明する図である。図１において、MeNBの通信エリア内に、HeNBが１台設置され、MeNBと通信する移動局（Macro User Equipment。以下、MUEと称する）が位置（在圏）する。また、HeNBの通信エリア内に、HeNBと通信する移動局（Home User Equipment。以下、HUEと称する）が位置（在圏）する。【０００５】
図１において、MeNBとHeNBとの距離が比較的近い場合、HUEは、所望波であるHeNBからの下り信号（実線）のみでなく、干渉波であるMeNBからの下り信号（破線）も受信することになる。この場合、HUEの受信品質が劣化し、スループットが低下するという課題が発生する。同様に、図１に示すMUEがHeNBの通信エリアに近づいた場合には、MUEは、MeNBからの下り信号（所望波）のみでなく、HeNBからの下り信号（干渉波）も受信する。この場合、MUEでは干渉を受けてしまい、MUEの受信品質が劣化し、スループットが低下するという課題が発生する。【０００６】
この課題を解決する方法として、例えば、非特許文献１に開示されているＡＢＳ（Almost Blank Subframe）という方法が検討されている。非特許文献１に開示されているＡＢＳでは、MeNBが定期的に下り回線（Downlink）での送信（下り送信）を停止する。例えば、図２では、MeNBが４サブフレーム毎に無送信サブフレームを設定することで、下り送信を停止している。これにより、与干渉基地局（aggressor。図２ではMeNB）が送信を停止したサブフレーム（図２に示す無送信サブフレーム）では、被干渉基地局（victim。図２ではHeNB）は干渉を受けずに済み、被干渉基地局に在圏するUEのスループットが改善する。
【先行技術文献】
【非特許文献】
【０００７】
【非特許文献１】R1-105779, "Way Forward on time-domain extension of Rel 8/9 backhaul-based ICIC," (RAN1)
【発明の概要】
【発明が解決しようとする課題】
【０００８】
しかしながら、非特許文献１のように、ＡＢＳを用いて送信を停止すると、与干渉基地局（MeNB）では無送信によるスループットの低下が生じる。特に、非特許文献１（図２）に示すように、カバレッジが広いMeNBが送信を停止すると、無送信によるスループット低下の影響を受ける端末（MUE）が多くなってしまい、ネットワーク全体のスループット低下につながってしまう。【０００９】
本発明の目的は、各基地局（MeNB及びHeNB）間での干渉を最小限に抑え、ネットワーク全体のスループットを改善することができる基地局装置及び送信方法を提供することである。
【課題を解決するための手段】
【００１０】
本発明の第１の態様に係る基地局装置は、信号の送信を行う送信サブフレーム及び信号の送信を停止する無送信サブフレームの組み合わせで表されるサブフレームの構成パターンであって、異なる複数の前記構成パターンのいずれかを用いて信号の送信を行う基地局装置を複数有する通信システムにおいて、自装置と、自装置以外の他の基地局装置との間の干渉の有無に基づいて、前記複数の構成パターンの中から、自装置が使用する構成パターンを決定する決定手段と、決定された前記構成パターンに従って、自装置に接続している端末装置に対して信号を送信する送信手段と、を具備する構成を採る。【００１１】
本発明の第２の態様に係る送信方法は、信号の送信を行う送信サブフレーム及び信号の送信を停止する無送信サブフレームの組み合わせで表されるサブフレームの構成パターンであって、異なる複数の前記構成パターンのいずれかを用いて信号の送信を行う基地局装置を複数有する通信システムにおいて、自装置と、自装置以外の他の基地局装置との間の干渉の有無に基づいて、前記複数の構成パターンの中から、自装置が使用する構成パターンを決定し、決定された前記構成パターンに従って、自装置に接続している端末装置に対して信号を送信する。
【発明の効果】
【００１２】
本発明によれば、各基地局（MeNB及びHeNB）間での干渉を最小限に抑え、ネットワーク全体のスループットを改善することができる。
【図面の簡単な説明】
【００１３】
【図１】MeNB及びHeNBから成るネットワークシステムの構成を示す図
【図２】ＡＢＳの説明に供する図
【図３】本発明の実施の形態１に係るネットワークシステムの構成を示す図
【図４】本発明の実施の形態１に係る小型基地局の構成を示すブロック図
【図５】本発明の実施の形態１に係るＡＢＳパターンを示す図
【図６】本発明の実施の形態１に係るＡＢＳホワイトリストを示す図
【図７】本発明の実施の形態１に係る小型基地局の処理の流れを示す図
【図８】本発明の実施の形態１に係るABS Configurationの設定例を示す図
【発明を実施するための形態】
【００１４】
以下、本発明の各実施の形態について図面を参照して詳細に説明する。
【００１５】
（実施の形態１）
図３に、本実施の形態に係るネットワークシステム（通信システム）の構成例を示す。図３に示すように、MeNB1（セルID＝2169）の通信エリア（セル範囲）内に、HeNB1（セルID＝9711）及びHeNB2（セルID＝11094）の２台のHeNBが設置されている。また、図３に示すHeNB1は稼働中であり、HeNB2は休止中（電源OFF状態）であるとする。なお、セルIDとは基地局固有に割り当てられた番号である。また、図３に示すように、MeNB1の通信エリア内にMUE11〜13が在圏し、HeNB1の通信エリア内にHUE11が在圏し、HeNB2の通信エリア内にHUE21が在圏する。また、図３に示すネットワークシステムに位置する各基地局（MeNB及びHeNB）は、異なる複数のABSパターンのいずれかを用いて信号の送信を行う。ここで、ABSパターンとは、信号の送信を行う送信サブフレーム及び信号の送信を停止する無送信サブフレームの組み合わせで表されるサブフレームの構成パターンである。また、図３において、ＯＭＣ（Operation and Maintenance Center）は、MeNB1、HeNB1及びHeNB2に加え、図示しないMeNB2及びMeNB3と、それぞれ接続しており、各基地局装置のABSパターンの設定情報（以下、ABS Configurationと称する）を管理する機能を有する管理装置である。
【００１６】
図４に、HeNB（例えば、図３に示すHeNB1及びHeNB2）の構成を示すブロック図を示す。図４に示すHeNB１００は、電源投入直後、周辺基地局（MeNB及びHeNB）の情報（セルID等）を収集する。なお、HeNB１００は、この情報収集を定期的（例えば１日１回）に行ってもよい。
【００１７】
具体的には、図４に示すHeNB１００において、受信部１０１は、HeNB１００の電源が投入されると、周辺基地局（MeNB及びHeNB）からの下り信号（下り無線信号）を受信する。受信される信号には、例えば、他の基地局から送信された、参照信号、同期信号、及び、ABS Configuration等が含まれる。なお、ABS Configurationは、例えば、報知チャネルで送信（ブロードキャスト）される。受信部１０１は、受信した下り信号を探索部１０３に出力する。
【００１８】
制御部１０２は、HeNB１００の電源投入をトリガとして、探索部１０３に対して、HeNB１００の周辺に位置する基地局の探索を指示する。例えば、制御部１０２は、探索部１０３に対して、ＲＳＲＱ（Reference Signal Received Quality）の測定を指示する。
【００１９】
探索部１０３は、制御部１０２からの指示に従って（つまり、HeNB１００の電源投入をトリガとして）、HeNB１００の周辺に位置する基地局の探索、及び、HeNB１００の周辺に位置する基地局が使用しているABS Configuration（つまり、ABSパターン）の検出を行う。例えば、探索部１０３は、受信部１０１で受信した下り信号（同期信号）に基づいて、自装置の周辺に位置する他の基地局（MeNB及びHeNB）を探索する。このとき、探索部１０３は、探索された他の基地局を、自装置との間で干渉が生じる装置として特定する。更に、探索部１０３は、探索された他の基地局からの報知チャネルをモニタして、当該基地局が使用するABSパターンを示すABS Configurationを取得する。更に、探索部１０３は、探索された他の基地局からの参照信号を用いて、ＲＳＲＱを測定する。ここで、ＲＳＲＱの測定値が小さい他の基地局ほど、HeNB１００との間の干渉量はより小さい。探索部１０３は、取得したABS Configurationを決定部１０４に出力する。なお、探索部１０３における周辺基地局の探索処理の詳細については後述する。
【００２０】
決定部１０４は、探索部１０３で取得されたABS Configurationに基づいて、HeNB１００が使用するABS Configurationを決定する。例えば、決定部１０４は、HeNB１００に設定可能な複数のABS Configuration（ABSパターン）の中から、探索部１０３で収集されたABS Configurationと異なるABS Configurationのいずれかを、HeNB１００が使用するABS Configuration（ABSパターン）として決定する。つまり、決定部１０４は、HeNB１００の周辺基地局（HeNB１００との間で干渉が生じる装置）が使用しているABS Configuration以外のABS Configurationのいずれかを、HeNB１００が使用するABS Configurationとして決定する。そして、決定部１０４は、決定したABS Configuration（ABSパターン）を、送信部１０５に出力する。なお、決定部１０４におけるABS Configuration決定処理の詳細については後述する。
【００２１】
HeNB１００は、決定部１０４で決定されたABS Configurationを、HeNB１００に接続されたUE（HUE）に適用する。よって、送信部１０５は、決定部１０４で決定されたABS Configuration（ABSパターン）に従って、自装置に接続している端末（HUE）に対して信号を送信する。また、送信部１０５は、決定部１０４から入力されるABS Configuration（HeNB１００が使用するABS Configuration）をＯＭＣに報告する。
【００２２】
次に、HeNB１００における処理について詳細に説明する。
【００２３】
なお、MeNB及びHeNB（HeNB１００を含む）等の各基地局は、例えば、図５に示すような、ABS Configurationテーブルを有する。図５に示すABS Configurationテーブルは、ABS Configuration（０〜７）とABSパターンCABS(m)（ｍ＝０〜３９）との関連付けを示す。ここで、ｍはサブフレーム毎に増加するカウンタを表す。すなわち、図５に示すABSパターンCABS(m)には４０サブフレーム分の下り回線での送信／無送信が定義されている。図５では、下り信号が送信されるサブフレーム（送信サブフレーム）を‘０’で表し、下り信号の送信が停止されるサブフレーム（無送信サブフレーム）を‘１’で表す。例えば、図５に示すABS Configuration＝０では、全てのサブフレームで下り信号が送信されることを意味し、ABS Configuration＝１では、８サブフレーム毎に下り信号の送信が停止されることを意味する。
【００２４】
また、MeNB及びHeNB（HeNB１００を含む）等の各基地局は、例えば、図６に示すような、自装置が使用可能なABS Configurationを示すABSホワイトリストを有する。図６に示すABSホワイトリストにおいて、使用可否のパラメータが‘１’に該当するABS Configurationが使用可能であり、使用可否のパラメータが‘０’に該当するABS Configurationが使用不可である。例えば、図６では、ABS Configuration＝０，４が使用不可であり、ABS Configuration＝１，２，３，５，６，７が使用可能である。
【００２５】
図７は、本実施の形態に係るHeNB１００における周辺基地局の探索処理、及び、ABS Configurationの決定処理の流れを示すフロー図を示す。以下の説明では、図３におけるHeNB2（休止中）での処理について説明する。
【００２６】
図７において、ステップ（以下、単に「ＳＴ」とする）１０１では、HeNB2の探索部１０３は、ABSホワイトリスト（例えば図６参照）を初期化する。具体的には、探索部１０３は、ABSホワイトリストに示される、ABS Configurationの使用可否の状態を全て使用可能（‘１’）に初期化する。
【００２７】
ＳＴ１０２では、探索部１０３は各パラメータを初期化する。具体的には、探索部１０３は、測定対象のセルID（TPCID）として、ブラインド検出の対象とするセルID（PCID）の範囲（PCIDMIN〜PCIDMAX）のうち、最も小さいセルID（PCIDMIN）を設定する。また、探索部１０３は、最小のＲＳＲＱを格納する最小ＲＳＲＱバッファ（PMIN）として、HeNB2が測定し得る最大のＲＳＲＱ（PMAX）を設定する。また、探索部１０３は、最小ＲＳＲＱを有する基地局のABS Configuration（CMIN）として、‘０’を設定する。例えば、一例として、PCIDMIN＝０、PCIDMAX＝６５５３５、PMAX＝２４［dBm］とする。
【００２８】
ＳＴ１０３では、探索部１０３は、測定対象のセルID（TPCID）がPCIDMAXを超えているか否かを判断する。
【００２９】
測定対象のセルID（TPCID）がPCIDMAXを超えていない場合（ＳＴ１０３：Ｎｏ）、ＳＴ１０４では、探索部１０３は、同期信号のレプリカを生成する。この同期信号には、第１同期信号（Primary Synchronization Signal：ＰＳＳ）及び第２同期信号（Secondary Synchronization Signal：ＳＳＳ）の２種類がある。
【００３０】
ＳＴ１０５では、探索部１０３は、ＳＴ１０４で生成した同期信号（ＰＳＳ及びＳＳＳ）のレプリカを用いて、セルサーチを行う。具体的には、探索部１０３は、受信信号と同期信号（ＰＳＳ及びＳＳＳ）のレプリカとの相関演算を行う。そして、探索部１０３は、受信信号と同期信号のレプリカとの相関値が予め設定された閾値以上の場合、測定対象のセルＩＤ（TPCID）の基地局が自装置（HeNB2）の周辺に存在していると判断する（つまり、セルサーチ成功と見なす）。一方、探索部１０３は、受信信号と同期信号のレプリカとの相関値が閾値未満の場合、測定対象のセルＩＤ（TPCID）の基地局が自装置（HeNB2）の周辺に存在していないと判断する（つまり、セルサーチ失敗と見なす）。セルサーチが成功した場合（ＳＴ１０５：Ｙｅｓ）、ＳＴ１０６の処理に進み、セルサーチが成功しなかった場合（ＳＴ１０５：Ｎｏ）、ＳＴ１１１の処理に進む。
【００３１】
ＳＴ１０６では、探索部１０３は、測定対象のセルＩＤ（TPCID）の基地局からの報知チャネルをモニタして、当該基地局が使用しているABS Configuration（CPCID）を収集する。
【００３２】
ＳＴ１０７では、探索部１０３は、ABSホワイトリストにおいて、ＳＴ１０６で収集したABS Configuration（CPCID）に対応する使用可否の状態を、使用不可（‘０’）に設定することで、ABSホワイトリストを更新する。
【００３３】
ＳＴ１０８では、探索部１０３は、測定対象のセルID（TPCID）の基地局からの下り参照信号をモニタし、ＲＳＲＱ（PRSRQ）を測定する。
【００３４】
ＳＴ１０９では、探索部１０３は、ＳＴ１０８で測定されたＲＳＲＱ（PRSRQ）とPMINとを比較する。PRSRQがPMINよりも小さい場合（ＳＴ１０９：Ｙｅｓ）、ＳＴ１１０では、探索部１０３は、PMINをPRSRQに更新し、CMINをCPCIDに更新する。ＳＴ１０８〜１１０の処理が測定対象の基地局に対して繰り返し行われることで、測定対象の基地局の中でＲＳＲＱが最も小さい基地局（つまり、自装置との間の干渉量が最も小さい基地局）が使用しているABS Configuration（CMIN）が特定される。一方、PRSRQがPMIN以上の場合（ＳＴ１０９：Ｎｏ）、ＳＴ１１１の処理に進む。
【００３５】
ＳＴ１１１では、探索部１０３は、測定対象のセルIDを示すTPCIDをインクリメントすることで測定対象の基地局を更新して、ＳＴ１０３の処理に戻る。探索部１０３は、ＳＴ１０３〜１１１の処理を、TPCIDがPCIDMAXとなるまで（ＳＴ１０３：Ｙｅｓとなるまで）繰り返す。
【００３６】
探索部１０３における周辺基地局探索処理が完了すると（ＳＴ１０３：Ｙｅｓ）、決定部１０４は、HeNB2のABS Configurationを決定する。具体的には、ＳＴ１１２では、決定部１０４は、ＳＴ１０７で更新されたABSホワイトリストを参照して、自装置（HeNB2）で使用可能なABS Configurationがあるか否か（つまり、ABS Configurationが全て使用不可であるか否か）を判断する。
【００３７】
使用可能なABS Configurationがある場合（ＳＴ１１２：Ｎｏ）、ＳＴ１１３では、決定部１０４は、ABSホワイトリスト中の使用可能なABS Configuration（図６の場合、ABS Configuration＝１，２，３，５，６，７）の中から、自装置（HeNB2）で使用するABS Configurationをランダムに選択する。換言すると、決定部１０４は、ABSホワイトリスト中の使用不可であるABS Configuration（図６の場合、ABS Configuration＝０，４）、つまり、周辺基地局が使用しているABS Configurationを、自装置で使用するABS Configurationの対象（選択候補）としない。なお、自装置（HeNB2）で使用するABS Configurationの決定方法は、ランダムに決定する方法に限らず、例えば、使用可能なABS Configurationのうち、最も番号が小さいABS Configurationを選択してもよい。例えば、図５では、番号が小さいABS Configurationほど、無送信サブフレームがより少ない。よって、最も番号が小さいABS Configurationが選択されることで、下り信号の送信を停止する無送信サブフレームをできる限り少なくすることができる。
【００３８】
使用可能なABS Configurationが無い場合（ＳＴ１１２：Ｙｅｓ）、ＳＴ１１４では、決定部１０４は、ＳＴ１１０で設定された最小ＲＳＲＱに対応する基地局のABS Configuration（CMIN）を、自装置（HeNB2）で使用するABS Configurationに設定する。つまり、決定部１０４は、複数の他の基地局によって複数のABS Configuration（ABSパターン）のすべてが使用されている場合、複数の他の基地局のうち、自装置に対する干渉量が最も小さい基地局（最小ＲＳＲＱに対応する基地局）が使用しているABS Configuration（ABSパターン）を、自装置が使用するABS Configuration（ABSパターン）として決定する。
【００３９】
ＳＴ１１５では、送信部１０５は、ＳＴ１１３又はＳＴ１１４において決定部１０４で決定された、自装置で使用するABS Configurationを、ＯＭＣに報告する。
【００４０】
このように、例えば、図３に示すHeNB2（HeNB１００）は、自装置で検出可能な基地局（例えば、HeNB1）を、自装置が干渉可能な基地局と見なし、当該基地局が使用するABS Configurationと異なるABS Configurationを自装置に設定する。ここで、図５に示すように、干渉を与え合う基地局同士（HeNB1及びHeNB2）が同一ABS Configurationを使用すると、無送信サブフレームが完全に重複してしまう。結果として、干渉を与え合う基地局間での干渉を抑圧することができない。これに対して、本実施の形態のように、干渉を与え合う基地局間（例えば、HeNB1及びHeNB2）で異なるABS Configurationを用いる。これにより、一方の基地局が送信サブフレームの時に、他方の基地局が無送信サブフレームである期間を確実に確保することができ、基地局間の干渉を抑圧することが可能となる。これにより、被干渉基地局は干渉を受けずに済み、被干渉基地局に在圏するUEのスループットを改善することができる。
【００４１】
また、HeNB１００は、周辺基地局探索の結果、使用可能なABS Configurationが無い場合（ＳＴ１１２：Ｙｅｓ）には、最小ＲＳＲＱに対応する基地局のABS Configuration（CMIN）を、自装置（HeNB2）で使用するABS Configurationに設定する。つまり、HeNB１００は、周辺基地局と異なるABS Configurationを自装置に設定できない場合には、自装置との干渉が最も小さい周辺基地局のABS Configuration（最小ＲＳＲＱに対応する基地局のABS Configuration）を自装置に設定する。これにより、HeNB１００と周辺基地局とが同一のABS Configurationを使用するものの、当該基地局間の干渉を最小限に抑えることが可能となる。
【００４２】
なお、HeNB１００は、周辺基地局探索によって検出された基地局（HeNB１００と干渉し得る基地局）との間において、互いに異なるABS Configurationが設定されるように、自装置のABS Configurationを決定すればよい。換言すると、HeNB１００は、周辺基地局探索によって検出されなかった基地局（HeNB１００と干渉し得ない基地局）が使用するABS Configurationと同一のABS Configurationを自装置に設定してもよい。つまり、HeNB１００（決定部１０４）は、ネットワークシステム（通信システム）内に位置する複数の基地局（MeNB及びHeNB）のうち、HeNB１００（探索部１０３）で探索された基地局（HeNB１００との間で干渉が生じる装置）以外の基地局が使用するABS Configuration（ABSパターン）と同一のABS Configuration（ABSパターン）を、自装置が使用するABS Configuration（ABSパターン）として決定してもよい。例えば、MeNBの通信エリア内にＮ個のHeNBが存在し、Ｎ個のHeNBにおいて、いずれのHeNBとも干渉しない場合（各HeNBが他のHeNBを検出しなかった場合）、Ｎ個のHeNBは同一のABS Configurationをそれぞれ設定してもよい。
【００４３】
より詳細には、例えば、図８に示すように、MeNBの通信エリア内に、HeNB1〜4が設置されているネットワークシステムを一例として説明する。図８では、HeNB1は、MeNBと干渉可能であり、HeNB2〜４とは干渉しない。そこで、HeNB１は、MeNBのABS Configuration（ABS Conf.#0）と異なるABS Configuration（ABS Conf.#1）を設定する。このとき、HeNB1は、干渉しないHeNB2〜4と同一のABS Configuration（図８ではHeNB2及びHeNB4のABS Conf.#1）を設定してもよい。同様に、図８では、HeNB4は、HeNB3と干渉可能であり、MeNB、HeNB1及びHeNB2とは干渉しない。そこで、HeNB4は、HeNB3のABS Configuration（ABS Conf.#2）と異なるABS Configuration（ABS Conf.#1）を設定する。このとき、HeNB4は、干渉しないMeNB、HeNB1及びHeNB2と同一のABS Configuration（図８ではHeNB1及びHeNB2のABS Conf.#1）を設定してもよい。他の基地局（MeNB、HeNB2及びHeNB3）についても同様にして自装置のABS Configurationを設定する。
【００４４】
このようにして、本実施の形態では、各基地局は、自装置と、自装置以外の他の基地局との間の干渉の有無に基づいて、複数のABS Configuration（ABSパターン）の中から、自装置が使用するABS Configurationを決定する。具体的には、本実施の形態では、各基地局は、自装置で検出可能な周辺基地局を、自装置との間で干渉が生じる装置であると特定し、当該周辺基地局で使用されているABS Configurationと異なるABS Configurationを自装置に設定する。このようにして各基地局は、自装置に対する最適なABS Configurationを自主的に設定する。これにより、各基地局間での干渉を最小限に抑えることができる。また、非特許文献１のようにMeNBのみがＡＢＳを適用するのではなく、HeNBもＡＢＳを適用することで、MeNBでの無送信サブフレームを少なくすることも可能となり、ネットワーク全体としてスループットを改善することが可能となる。
【００４５】
このように、本実施の形態によれば、各基地局（MeNB及びHeNB）間での干渉を最小限に抑え、ネットワーク全体のスループットを改善することができる。
【００４６】
なお、本実施の形態では、図７に示すように、探索部１０３が周辺基地局の探索を行った後（セルサーチ後）、決定部１０４が周辺基地局のABS Configurationをモニタする場合について説明した。しかし、HeNB１００は、周辺基地局の探索と並行して、周辺基地局のABS Configurationをモニタしてもよい。これにより、周辺基地局の探索処理及びABS Configurationのモニタ処理の処理量をより少なくすることが可能となる。
【００４７】
（実施の形態２）
実施の形態１では、HeNBが周辺基地局を探索したのに対して、本実施の形態では、HeNBは、周辺基地局を探索しない。
【００４８】
以下、本実施の形態について具体的に説明する。
【００４９】
例えば、本実施の形態に係るHeNBは、図４に示す実施の形態１に係るHeNB１００のうち制御部１０２及び探索部１０３を具備しない構成を採る。
【００５０】
本実施の形態に係るHeNBの決定部１０４は、まず、自装置で設定可能なABS Configuration（図５ではABS Configuration＝０〜７）のうち、例えば、最も番号が小さいABS Configuration（図５ではABS Configuration＝０）を、自装置のABS Configuration候補に設定する。次いで、決定部１０４は、受信部１０１で受信した下り信号を用いて、他の基地局（MeNB又はHeNB）からの干渉量を測定する。そして、決定部１０４は、測定した干渉量が予め設定された閾値（許容干渉量）以上の場合、現在設定されているABS Configuration候補をインクリメントして、新たなABS Configuration候補を設定する。一方、決定部１０４は、測定した干渉量が閾値未満の場合、現在設定されているABS Configuration候補を、自装置のABS Configurationとして決定する。このようにして、決定部１０４は、複数のABS Configuration（ABSパターン）のうち、自装置以外の他の基地局からの干渉量が閾値（許容値）未満となるABS Configuration（ABSパターン）を、自装置が使用するABS Configuration（ABSパターン）として決定する。
【００５１】
そして、送信部１０５は、決定部１０４で最終的に決定されたABS ConfigurationをＯＭＣに報告する。
【００５２】
このように、本実施の形態では、各基地局は、自装置と、自装置以外の他の基地局との間の干渉の有無に基づいて、複数のABS Configuration（ABSパターン）の中から、自装置が使用するABS Configurationを決定する。具体的には、本実施の形態では、各基地局は、他の基地局との間の干渉量が小さい（干渉量が閾値未満の）ABS Configurationを用いる。これにより、実施の形態１と同様、一方の基地局が送信サブフレームの時に、他方の基地局が無送信サブフレームである状態を確実に確保することができ、基地局間の干渉を抑圧することが可能となる。これにより、被干渉基地局は干渉を受けずに済み、被干渉基地局に在圏するUEのスループットを改善することができる。
【００５３】
なお、本実施の形態において、HeNB１００は、全てのABS Configurationにおいて、干渉量が閾値以上となった場合には、最小の干渉量に対応するABS Configurationを、自装置で使用するABS Configurationに設定してもよい。つまり、HeNBは、他の基地局との干渉量を許容値未満にできない場合でも、当該干渉量が最も小さいABS Configurationを自装置に設定することで、基地局間の干渉を最小限に抑えることが可能となる。
【００５４】
このようにして、本実施の形態によれば、各基地局（MeNB及びHeNB）間での干渉を最小限に抑え、ネットワーク全体のスループットを改善することができる。
【００５５】
以上、本発明の各実施の形態について説明した。
【００５６】
なお、上記各実施の形態では、HeNBが電源投入時に周辺基地局情報を取得するものとして説明した。しかし、HeNBにおける上記周辺基地局情報の取得は、例えば１日１回など、定期的に行ってもよい。
【００５７】
また、上記各実施の形態では、HeNBがABS ConfigurationをOMCに報告する場合について説明した。しかし、HeNBは、例えば、図５で示されている計４０ビットで構成されるABSパターンをOMCに直接報告してもよい。
【００５８】
２０１１年２月１０日出願の特願２０１１−０２７４４９の日本出願に含まれる明細書、図面および要約書の開示内容は、すべて本願に援用される。
【産業上の利用可能性】
【００５９】
本発明は、MeNB、MUE、HeNB及びHUEを有する移動体通信システムに好適である。
【符号の説明】
【００６０】
１００  HeNB
１０１  受信部
１０２  制御部
１０３  探索部
１０４  決定部
１０５  送信部
【図１】
2012108155.tif 000003
【図２】
2012108155.tif 000004
【図３】
2012108155.tif 000005
【図４】
2012108155.tif 000006
【図５】
2012108155.tif 000007
【図６】
2012108155.tif 000008
【図７】
2012108155.tif 000009
【図８】
2012108155.tif 000010
【国際調査報告】
2012108155.tif 000011
2012108155.tif 000012
2012108155.tif 000013
2012108155.tif 000014